(57)【特許請求の範囲】
【請求項１】
コンクリート製のＵ字溝ブロック（２１）の単位長さを等分した長さ（ａｍｍ）を基準寸法として鋳鉄などで鋳造してなる三点支持式の二等辺三角形状の主溝蓋（１）と主溝蓋（１）を左右に二等分した直角三角形状の副溝蓋（２），（３）とよりなりＵ字溝ブロック（２１）の溝蓋載置部に複数の主溝蓋（１）の両側に副溝蓋（２），副溝蓋（３）を配設するよう構成したＵ字溝ブロック（２１）用の溝蓋群を用い、Ｕ字溝ブロック（２１）を連設した溝蓋載置部に、溝蓋載置部の長さに合わせ複数の主溝蓋（１）とその両側に副溝蓋（２），（２）、副溝蓋（３），（３）または副溝蓋（２），（３）を配設するに際し、Ｕ字溝ブロック（２１）の単位長さを等分した溝蓋の基準寸法の長さ（ａｍｍ）の１／４の長さを有する方形の補助溝蓋（５）を連設せるＵ字溝ブロックの溝蓋載置部の両端部に配設するよう構成したことを特徴とするＵ字溝ブロック連設用の溝蓋群。
【請求項２】
請求項１記載の方形の補助溝蓋（４）が鋳鉄で鋳造してなり、該方形の補助溝蓋（４）の対角線で２分割した三点支持式の直角三角形状をなす補助溝蓋（５），（６）を方形に組み合わせてなるＵ字溝ブロック連設用の溝蓋群。
【発明の詳細な説明】
【０００１】
【発明の属する技術分野】
本発明は、コンクリ−ト製のＵ字溝ブロックを用いて構築された道路の側溝、横断溝などのＵ字溝に使用される金属製の溝蓋、特に三角形状をなす三点支持式の鋳鉄製の溝蓋群に関するものである。
【０００２】
【従来の技術】
従来、道路の側溝、横断溝などのＵ字溝は、現場にて型枠を組み、コンクリ−トを打設して作られて来たが、近時現場での工事を出来る限り少なくするため、コンクリ−ト工場で予め成型したＵ字溝ブロックを用い構築されるようになり、上面開口部には必要に応じコンクリ−ト製の溝蓋、金属製の格子状の溝蓋が取付けられる。
【０００３】
そして、交通量の多い場所に設けられたＵ字溝に使用される金属製の溝蓋は、がたつきが生じないようにＵ字溝の溝蓋懸架部に被着された金属製の受枠にボルト、ナットを用いて固定し使用されるが、実公昭５６−３７０２６号公報記載の路上溝の蓋は三点支持式のため、がたつきがないので固定せずに使用されている。
【０００４】
また、特に地盤が悪るくＵ字溝ブロックを連設した場合、Ｕ字溝ブロック間に段差の生ずる恐れがあるときは、段差が生じても溝蓋がずれることのない、溝蓋付のＵ字溝ブロックに関する考案、発明を実開平５−４３４３７号、特開平８−２０９９７号、特開平８−１３４９９７号が提案されている。
【０００５】
【発明が解決しようとする課題】
道路の側溝、横断溝などのＵ字溝の構築に、コンクリート工場で作られたＵ字溝ブロックが使用されるようになり、Ｕ字溝ブロック間に段差が生じないよう設置場所を充分に固めるなどの対策をたて施工されるようになって来たが、一般にはＵ字溝ブロックは溝蓋を取付けることなく製作し供給されており、長さも２，０００ｍｍを基準とし１，０００ｍｍ単位の製品が規格化され製作されている。
【０００６】
このようにコンクリ−ト製のＵ字溝ブロックが規格化され製作されるに伴い、これに使用される溝蓋の長さもＵ字溝ブロックの長さに合わせ製作されるようになり、三点支持式の溝蓋も、二等辺三角形状をなす主溝蓋と、主溝蓋を連設したとき両端に配設する主溝蓋を左右に２等分した直角三角形状をなす副溝蓋は、配設したときにＵ字溝ブロックの長さに一致するよう設計し製作されている。
【０００７】
このため、Ｕ字溝ブロックを連設したＵ字溝に三点支持式の溝蓋を配設したとき、主溝蓋の等しい二辺の交わる交点（以下、頂点という。）側の脚片がＵ字溝ブロックの接続部に位置することになり、段差が生ずると燐位する主溝蓋との間に段差が生じたり、頂点側の脚片の一部が接触せず車輌等の通過の際がたつきが生ずる原因となることがあり、Ｕ字溝ブロック間に僅かな段差が生じても主溝蓋間に段差が生じたり不安定となることのない溝蓋が要望されるようになった。
【０００８】
【課題を解決するための手段】
本発明は、かかる要望に答えるべく検討の結果なされたもので、前述の如くコンクリ−ト製のＵ字溝ブロックは長さが２，０００ｍｍを基準とし、１，０００ｍｍから４，０００ｍｍまでの製品が規格化され、本願出願人の発明した三点支持式の溝蓋もＵ字溝ブロックの長さに合わせ製作されているので、溝蓋の脚片をＵ字溝ブロックの接続部に一致しないように配設するに当り、脚片と脚片の中間に接続部が位置するようにすると、溝蓋群を連設した両端に等しい長さの空隙が生ずることになるのでその長さの補助溝蓋を両端部に配設することにより解決せるものである。
【０００９】
すなわち、図２に示す如く従来は二等辺三角形状の主溝蓋（１）が複数連設され、その両端に主溝蓋（１）を左右に二分割した直角三角形状をなす副溝蓋（２），（３）が配設されるよう構成されており、Ｕ字溝ブロックの長さを標準の２，０００ｍｍとすると、溝蓋群は端部に副溝蓋が、次いで主溝蓋が２，０００ｍｍを等分した区画、例えば５００ｍｍまたは３３３ｍｍ（以下、ａｍｍと略記する。）ごとに主溝蓋が配設され、溝蓋の脚片はＵ字溝ブロックの端部（２２）より溝蓋懸架部に交互にａ／２ｍｍ毎に位置し、Ｕ字溝ブロックの接続部毎に主溝蓋の頂部の脚片が位置することになるので、図１に示す如く接続部（２３）より等距離すなわちａ／４ｍｍに脚片が位置するようにすると、Ｕ字溝ブロックを連設した両端部にａ／４ｍｍの長さの補助溝蓋を配設すればよいことになり、Ｕ字溝ブロックの接続部に溝蓋の脚片が一致することなく目的を達成できるものである。なお、補助溝蓋は方形よりも方形の対角線で二分割した直角三角形状にするとよく、さらにはその分割した補助溝蓋の一つを副溝蓋と一体成型し不等辺三角形状の副溝蓋とするも差支えない。
【００１０】
また、Ｕ字溝ブロックを連設したとき、その両端部に透孔を有する溝蓋を配設する必要がないときはａ／４ｍｍ長さのコンクリート製の溝蓋を懸架するようにするも差支えない。
【００１１】
【発明の実施の形態】
本発明を図面に示す実施例に従って説明する。本発明に使用される鋳鉄製の溝蓋群は、図５に示す如き二等辺三角形状の複数の主溝蓋（１）と、主溝蓋（１）の等しい二つの辺（１１），（１１）の交わる交点（１２）より底辺（１３）に下した垂線（１４）により左右に二分割した直角三角形状の副溝蓋（２），（３）より構成され、図２に示す如くＵ字溝ブロック（２１）の標準長さＡｍｍを４等分または６等分した長さａｍｍ長さで区画した溝蓋懸架部に懸架されるよう主溝蓋（１）の底辺（１３）側の長さｂｍｍと頂点側の長さ（脚片（１５）の幅）ｃｍｍの合計がａｍｍとなるよう構成される。
【００１２】
このように構成された複数の主溝蓋（１）と副溝蓋（２），（３）の溝蓋群を配設するに際し、図３（ａ）に示す如くａ／４ｍｍ長さを有する方形の補助溝蓋（４）を図１に示す如く両端部に配設すればよい。補助溝蓋（４）を鋳鉄で鋳造する場合、図３（ｂ），（ｃ）に示す如く方形の対角線の一つで二分割した直角三角形状の補助溝蓋（５），（６）とし、脚片（１５），（１５）間に形成したリブ（１６）などを利用してボルト孔を穿設し、ボルト、ナットを用い連結し使用するも差支えない。
【００１３】
図４に示す副溝蓋は、図６に示す従来の直角三角形状の副溝蓋（２），（３）に補助溝蓋（４）を対角線の一つで二分割した直角三角形状の補助溝蓋の一つを合体して一体成型した不等辺三角形状をなす副溝蓋で、図４（ａ）に示す副溝蓋（７）は図６（ｂ）に示す副溝蓋（３）と図３（ｃ）に示す補助溝蓋（６）を一体成型してなるもので、図３（ｂ）に示す補助溝蓋（５）と共に複数のＵ字溝ブロック（２１）を連設した溝蓋載置部に複数の主溝蓋（１）を配設しその両端に配設される。
【００１４】
【発明の効果】
本発明の溝蓋群は、以上述べた如く構成されているので、コンクリ−ト製のＵ字溝ブロックを連設したＵ字溝に、Ｕ字溝ブロックの寸法に合わせ製作した三点支持式の溝蓋群を配設するに際し、Ｕ字溝ブロックの長さを等分に分割した溝蓋の単位長さの１／４の長さの補助溝蓋を端部の配設してあるので、主溝蓋の脚片はＵ字溝ブロックの接続部に一致せず、Ｕ字溝ブロック間に段差が生じてもがたついたり、隣位する溝蓋との間に段差の生ずる恐れが無くなるものである。
【図面の簡単な説明】
【図１】  本発明の溝蓋群とＵ字溝ブロックの関係を示す平面概略図。
【図２】  従来の溝蓋群とＵ字溝ブロックの関係を示す平面概略図。
【図３】  本発明の補助溝蓋の格子状透孔を省略した裏面図。
【図４】  本発明の他の実施例の副溝蓋の格子状透孔を省略した裏面図。
【図５】  従来より使用している主溝蓋の格子状透孔を省略した裏面図。
【図６】  従来より使用している副溝蓋の格子状透孔を省略した裏面図。
【符号の説明】
１            主溝蓋
２，３        副溝蓋
４，５，６    補助溝蓋
７，８        副溝蓋（本発明の）
１１          辺
１２          交点
１３          底辺
１４          垂線
１５          脚片
１６          リブ
１７          係止片
２１          Ｕ字溝ブロック
２２          端部
２３          接続部
【図１】
0003820632.tif 000002
【図２】
0003820632.tif 000003
【図３】
0003820632.tif 000004
【図４】
0003820632.tif 000005
【図５】
0003820632.tif 000006
【図６】
0003820632.tif 000007